(57)【特許請求の範囲】
【請求項１】
弾性素材からなるプレート状のヘラ部材と、該ヘラ部材にプレート面と平行な面内において角度調整可能に取付けた握持用の柄とを備え、
上記ヘラ部材の外周に、平らな壁面の水滴を掻取るための少なくとも一つの直線状縁部と、曲面をなす壁面の水滴を掻取るための曲率半径の異なる複数の弧状縁部とが形成されていることを特徴とする浴室用ワイパー。
【請求項２】
請求項１に記載の浴室用ワイパーにおいて、上記ヘラ部材における直線状縁部及び弧状縁部の少なくとも表裏いずれかの面にリブが形成されているもの。
【請求項３】
請求項１又は２に記載の浴室用ワイパーにおいて、上記柄が、ヘラ部材の撓みを調節するための支持板を介して該ヘラ部材に取付けられたもの。
【請求項４】
請求項１乃至３のいずれかに記載の浴室用ワイパーにおいて、上記柄を所望の回動位置に係止させるための手段が、ヘラ部材側と柄側との対応位置に設けた係止孔と、これらの係止孔に挿入するピンとからなるもの。
【発明の詳細な説明】
【０００１】
【発明の属する技術分野】
本発明は、浴室内に付着した水滴を掻取るための浴室用ワイパーに関するものである。
【０００２】
【従来の技術】
従来より、浴室の壁や浴槽の槽壁等の壁面に付着した水滴を除去する場合、ワイパーを使用していた。この種のワイパーは、例えばＴ字形をしたワイパー本体の先端縁に直線状のゴムヘラを取付けた構成を有していて、先端のゴムヘラで壁面等に付着した水滴を掻取るものである。
しかしながら、このワイパーは、平らな壁面の水滴を掻取るのには適しているが、湾曲する壁面の水滴を掻取るのには不向きであった。特に、最近の住宅の浴室は、ユニットバスのような、壁面が平らな面だけでなく多数の曲面を有しているものが多く、このような曲面をなす壁面の水滴を直線状のゴムヘラで掻取ることは非常に困難であった。
【０００３】
【発明が解決しようとする課題】
本発明の主要な課題は、浴室内の壁面が平らな面だけでなく多様な曲面を有する形状であっても、それに付着した水滴を簡単且つ確実に掻取ることができる浴室用ワイパーを提供することにある。
本発明の他の課題は、ヘラ部材が適度の撓み性を有していて使用し易い浴室用ワイパーを提供することにある。
本発明の更に他の課題は、柄を所望の回動位置に簡単且つ確実に係止させることができる浴室用ワイパーを得ることにある。
【０００４】
【課題を解決するための手段】
上記課題を解決するため、本発明の浴室用ワイパーは、弾性素材からなるプレート状のヘラ部材と、該ヘラ部材にプレート面と平行な面内において角度調整可能に取付けた握持用の柄とを備え、上記ヘラ部材の外周に、平らな壁面の水滴を掻取るための少なくとも一つの直線状縁部と、曲面をなす壁面の水滴を掻取るための曲率半径の異なる複数の弧状縁部とが形成されていることを特徴とする。
上記ヘラ部材における直線状縁部及び弧状縁部の少なくとも表裏いずれかの面にリブを形成することができる。
また、上記柄は、プレート状ヘラ部材の撓みを調節するための支持板を介して該ヘラ部材に取付けることが望ましい。
更に、上記柄を所望の回動位置に係止させるため、ヘラ部材側と柄側との対応位置に設けた係止孔と、これらの係止孔に挿入するピンとからなる係止手段を設けることが望ましい。
【０００５】
上記構成の浴室用ワイパーは、ヘラ部材の外周に、少なくとも一つの直線状縁部と、曲率半径の異なる複数の弧状縁部とを形成したので、浴室の平らな壁面だけでなく多様な曲線をなす壁面であっても、曲面の形状に応じた曲率半径の弧状縁部を選択することにより、該ヘラ部材を的確に押し当てることができ、これにより、壁面の水滴を確実に掻取ることができる。
また、支持板によってヘラ部材の不使用部分の撓みが規制され、使用部分は壁面に沿って撓み易いため、使い易い。
更に、柄を係止孔とピンとからなる係止手段で所望の回動位置に簡単且つ確実に係止させることができる。
【０００６】
【発明の実施の形態】
図１及び図２は本発明に係る浴室用ワイパーの一実施例を示すもので、この浴室用ワイパーは、ゴム等の弾性素材からなるプレート状のヘラ部材１と、該ヘラ部材１にプレート面と平行な面内において角度調節可能に取付けられた握持用の柄２とからなっている。
【０００７】
上記ヘラ部材１は、その外周を、壁面に付着した水滴を掻取るための掻取縁としたもので、この掻取縁は、平らな壁面の水滴を掻取るための大小２つの直線状縁部３ａ，３ｂと、曲面をなす壁面の水滴を掻取るための曲率半径の異なる２つの弧状縁部４ａ，４ｂとを有している。
上記ヘラ部材１の外周には、表裏両面に立ち上がるようにリブ５が形成され、これらのリブ５で壁面の水滴をより確実に掻取ることができるように構成している。
【０００８】
上記リブは、図２のようにヘラ部材の平面部に対して直角に設けても良いが、図３のように外向きに傾斜させて設けてもよい。
上記ヘラ部材１の厚さｔ1 は５ｍｍ程度とし、リブ５を含んだ全体の厚さｔ2 は１０ｍｍ程度とするのが最も好ましい。
上記柄２は、ほぼ半円状をした支持板６を介してヘラ部材１に、取付軸８を中心に回動可能且つ所望の位置に係止可能なるように取付けられている。
【０００９】
上記支持板６は、ヘラ部材１が柄２で壁面に押付けられたとき、該ヘラ部材１の不必要な部分が撓むのを規制するもので、合成樹脂や金属等の硬質または半硬質の素材によって形成され、弦部分６ａを柄２の先端方向に向けた状態で該柄２に固定され、該柄と一緒に回動するようになっている。そして、該柄２の角度調整に伴って、該支持板６の弦部分６ａが、ヘラ部材１の使用する縁部の方向を向き、この縁部側の部分が必要量撓むのを可能とするが、それ以外の部分の撓みは規制するものである。
【００１０】
また、上記柄２を所望の回動位置に係止させるための手段はどのようなものでも良く、例えば、支持板６及び座金８ａとヘラ部材１との間の摩擦を大きくしたものでも、支持板６及びヘラ部材１のいずれか一方に突起を設け、他方にそれが係合する窪みを設けたものであっても良いが、図示の実施例では、ヘラ部材１と柄２とにそれぞれ係止孔９及び１０を設けてピン１１を差し込むことにより、該柄２を使用位置に係止させるようにしている。
【００１１】
即ち、上記ヘラ部材１には、取付軸８を中心とする円周上の、使用時に柄２を停止させるべき位置に、複数の係止孔９を設け、これに対して柄２には、取付軸８から上記係止孔９と等しい距離に同様の係止孔１０を設け、これらの係止孔９及び１０にピン１１を差し込むことにより、その位置で柄２を固定できるようにしている。
なお、柄２側の係止孔１０は支持板６に設けても良く、この場合にヘラ部材１側の係止孔９は、上記係止孔１０に対応する位置に設けられることは言うまでもないことである。
【００１２】
上記構成を有する浴室ワイパーは、平らな壁面の水滴の掻取りにはヘラ部材１の直線状縁部３ａ，３ｂのいずれかを選択し、曲面をなす壁面の水滴の掻取りには、曲面の形状によって曲率半径の異なる弧状縁部４ａ，４ｂのどちらかを選択し、その選択した縁部が柄２の先端方向に位置するように該柄２を回動させて係止させる。このとき支持板６の弦部分６ａもその方向を向く。
次に、上記ヘラ部材１の選択した縁部を壁面に押当てて、押すか又は引くことにより、付着した水滴を掻取るようにする。
【００１３】
このとき、該ヘラ部材１の縁部は、的確に対象部位に押し当てられ、リブ５が該対象部位をこするように水滴を掻取るため、壁面が平らであっても、曲面をなしていても確実に水滴を掻取ることができる。
また、弾性素材で形成された上記ヘラ部材１は、支持板６により、選択した縁部側においては適度に撓み、それ以外の部分では撓みが抑制され、全体として撓みが調節されているため、該選択した縁部は対象部位の凹凸によくなじみ、その他の部分では撓むことがなく、水滴を掻取る作業を行いやすい。
【００１４】
また、図１に示すように、上記ヘラ部材１には、選択した縁部が撓みやすいように、リブ５の適当な位置に切込み７を切設することができる。特に、各縁部の境界や中央部などにに設けるのがよい。その理由は、該リブがヘラ部材の全周にわたって連続していると、選択した縁部の撓みを十分得られないことがあるためであり、そこで、このような切込みを設けることにより、使用する縁部を撓みやすくすることができる。
【００１５】
上記実施例では、大小２つの直線状縁部３ａ，３ｂを備えているが、それらはいずれか一方のみでもよく、また、曲率半径の異なる弧状縁部４ａ，４ｂは２種類としているが、より多様な曲面に対応することができるように、それらは３種類以上形成してもよい。
また、上記支持板６は、柄２に合わせて角度調節可能に動くことができる範囲内で、できるだけ大きく形成することが望ましく、そうすることにより、ヘラ部材全体の撓みの調節をより確実に行うことができる。
【００１６】
この支持板６は、必ずしも半円板状に形成する必要はなく、任意の形に形成することができ、場合によっては、柄２と一体に形成することもできる。
また、図示の実施例では、上記支持板６をヘラ部材１の片面のみに設けているが、同形の支持板をヘラ部材１の両面に設けても良い。
あるいは、場合によっては、ヘラ部材１の柄取付部周辺の剛性を高めることにより、この支持板は省略することができる。
また、図示の実施例ではヘラ部材１がリブ５を両面に備えているが、それは片面だけでも良く、あるいはこのようなリブを省略することもできる。
【００１７】
【発明の効果】
以上に詳述したように、本発明の浴室用ワイパーによれば、ヘラ部材の外周を直線状縁部と、曲率半径の異なる複数の弧状縁部とにより形成したので、浴室の平らな壁面には直線状縁部を、曲面をなす壁面にはその形状に応じた曲率の弧状縁部をそれぞれ選択して使用することにより、該ヘラ部材を清掃対象に的確に押し当てることができ、これにより、浴室の平らな壁面の水滴だけではなく、多様な曲面を持つ壁面の水滴も確実に掻取ることができる。
【図面の簡単な説明】
【図１】本発明の浴室用ワイパーの実施例を示す斜視図である。
【図２】図１のＡ−Ａにおける断面図である。
【図３】本発明の異なる実施例を示すヘラ部材の断面図である。
【符号の説明】
１  ヘラ部材                      ２  握持用の柄
３ａ，３ｂ  直線状縁部            ４ａ，４ｂ  弧状縁部
５  リブ                          ６  支持板                        ｔ1 ヘラ部材の厚さ                ｔ2 全体の厚さ
【図１】
0003662671.tif 000002
【図２】
0003662671.tif 000003
【図３】
0003662671.tif 000004